(57)【要約】  【課題】  法面に早期に在来多年生草本類の群落を造成することができる植生マットとその製造方法を提供する。  【解決手段】  圃場に敷設した可撓性ネット１０を内包するように育成している在来多年生草本類２または地被植物４のいずれか一方の中に他方を適当間隔で移植し、在来多年生草本類２の地下茎３と地被植物４の根５とが絡み合った後、両者２，４を圃場から可撓性ネット１０ごとマット状に剥ぎ取って、植生マットＡを製造する。  【選択図】  図３
2004159652.tif 000002
【特許請求の範囲】
【請求項１】
在来多年生草本類の地下茎と地被植物の根とを絡み合わせて一体とし、かつマット状として成ることを特徴とする植生マット。
【請求項２】
可撓性ネットを内包している請求項１に記載の植生マット。
【請求項３】
圃場で育成している在来多年生草本類または地被植物のいずれか一方の中に他方を間隔をおいて移植し、在来多年生草本類の地下茎と地被植物の根とが絡み合った後、両者を圃場からマット状に剥ぎ取って、植生マットを製造することを特徴とする植生マットの製造方法。
【請求項４】
圃場に敷設した可撓性ネットを内包するように育成している在来多年生草本類または地被植物のいずれか一方の中に他方を適当間隔で移植し、在来多年生草本類の地下茎と地被植物の根とが絡み合った後、両者を圃場から可撓性ネットごとマット状に剥ぎ取って、植生マットを製造することを特徴とする植生マットの製造方法。
【請求項５】
在来多年生草本類の種子を、植物生育基盤材が詰め込まれたセルトレイに播種して生育させることにより、地被植物の中に移植する在来多年生草本類の苗を得る請求項３又は４に記載の植生マットの製造方法。
【請求項６】
在来多年生草本類の種子を発芽させ、幼芽・幼根が伸長をはじめたら、植物生育基盤材が詰め込まれたセルトレイに移植して生育させることにより、地被植物の中に移植する在来多年生草本類の苗を得ることを特徴とする請求項３又は４に記載の植生マットの製造方法。
【発明の詳細な説明】
【技術分野】
【０００１】
本発明は、例えば、チガヤ、ススキ等の在来多年生草本類を利用した河川堤防等の法面の侵食防止対策に関するものである。
【背景技術】
【０００２】
河川堤防等の法面の侵食防止対策の一つとして、野芝、高麗芝、ティフトン等の洋芝をロール状に巻いて運搬することが可能な植生マットとして作製しておき、これらの植生マットを法面に張り付ける工法が、従来より広く知られている。また、芝の根を引張強度の高い可撓性ネットに絡み付けることによって、マット形状が崩れ難くし、河川堤防の冠水域にも強固に張り付けることができるようにした植生マットとその製造方法も、特開２００１−８５４７号公報により提案されている。
【０００３】
これらの植生マットを法面に張り付ける工法は、施工直後から法面が緑化されるため、景観的に非常に優れた工法である。しかしながら、植生マットには、芝の栽培中に外部から飛散した多くの帰化植物（セイタカアワダチソウなど）の種子や元々圃場にあった帰化植物の根茎等が混入している。このような植生マットでは、施工後、大型の帰化植物が繁茂するようになり、次第に芝地から帰化植物よりなる雑草地に変わってしまうことがある。従って、繁茂した大型帰化植物を定期的に刈り取るといった維持管理が必要とされることになり、毎年、多大の維持管理費用が必要とされているのが実情である。
【０００４】
そのため、維持管理を軽減できる法面の緑化方法が求められている。この緑化方法として、近年、チガヤなどの在来多年生草本類の群落の造成をめざした試みがなされている。例えば、チガヤは、これまで雑草として扱われ、緑化工事に殆ど使用されていないが、太い地下茎を有し、根茎による無性繁殖と種子による有性繁殖とが可能で、旺盛な繁殖力を有する上、他の植物の発芽を抑制する他感作用が強く、しかも、上記文献「雑草の自然史」に記載されている通り、長い根茎は１ｍあまりまで伸長し、個体当りの根茎の総延長は約１２ｍにも達するので、土壌緊縛力が強くて、法面の侵食防止に好適であり、景観的にも、白い穂をたなびかせた群落をなす姿には美しいものがあり、緑化用の草資源として有望である。
【０００５】
法面に在来多年生草本類の群落を造成する方法としては、種子をシートに付着させたものを法面に張り付けたり、種子を肥料や保水材等の植物生育基盤材とともに法面に吹き付ける方法等が試みられているが、これらの方法では、次のような問題点があった。
【０００６】
すなわち、在来多年生草本類の種子には非常に小さいものがあり、小さい種子は、工事現場の厳しい環境（特に、乾燥）の影響を受けやすく、法面に播種しても発芽しない場合が多い。また、在来多年生草本類の種子にはチガヤの種子など高温で発芽するものがあり、法面で発芽させる方法では、施工時期が限定されることになる。
【特許文献１】特開２００１−８５４７号公報（図１〜図３）
【非特許文献１】山口裕文編著「雑草の自然史」北海道大学図書刊行会出版、１９９７年６月１０日発行（第１４２頁〜第１４９頁）
【発明の開示】
【発明が解決しようとする課題】
【０００７】
本発明は、上記の問題点をふまえてなされたものであって、法面に早期に在来多年生草本類の群落を造成できる植生マットとその製造方法を提供することを課題とする。
【課題を解決するための手段】
【０００８】
上記の課題を解決するために、本発明では、次のような技術的手段を講じている。即ち、請求項１に記載した発明では、在来多年生草本類の地下茎と地被植物の根とを絡み合わせて一体とし、かつマット状として成る植生マットを構成している。
【０００９】
また、可撓性ネットを内包しているとしてもよい（請求項２）。
【００１０】
請求項３に記載の発明による植生マットの製造方法は、圃場で育成している在来多年生草本類または地被植物のいずれか一方の中に他方を間隔をおいて移植し、在来多年生草本類の地下茎と地被植物の根とが絡み合った後、両者を圃場からマット状に剥ぎ取って、植生マットを製造することを特徴としている。
【００１１】
請求項４に記載の発明による植生マットの製造方法は、圃場に敷設した可撓性ネットを内包するように育成している在来多年生草本類または地被植物のいずれか一方の中に他方を適当間隔で移植し、在来多年生草本類の地下茎と地被植物の根とが絡み合った後、両者を圃場から可撓性ネットごとマット状に剥ぎ取って、植生マットを製造することを特徴としている。
【００１２】
在来多年生草本類の種子を、植物生育基盤材が詰め込まれたセルトレイに播種して生育させることにより、地被植物の中に移植する在来多年生草本類の苗を得るとしてもよい（請求項５）。
【００１３】
また、在来多年生草本類の種子を発芽させ、幼芽・幼根が伸長をはじめたら、植物生育基盤材が詰め込まれたセルトレイに移植して生育させることにより、地被植物の中に移植する在来多年生草本類の苗を得るとしてもよい（請求項６）。
【発明の効果】
【００１４】
請求項１に記載した発明では、在来多年生草本類の地下茎と地被植物の細くて密な根とが絡むことによって両者がマット状に保形されることになる。従って、在来多年生草本類だけからなるマットを形成する場合には、在来多年生草本類の根茎が太く疎であると、根茎が相互に絡み合ってマットを形成するようになるまでには多くの年数がかかるおそれがあるが、在来多年生草本類と地被植物とからなるこの発明の植生マットは、在来多年生草本類の育成期間が短くて済み、短期間のうちに河川堤防等の法面の侵食防止対策に供し得る。また、上記植生マットを法面に設置した後、在来多年生草本類が成長すると、地被植物が被圧されて衰退し、これにより、植生遷移が進み、在来多年生草本類による植物群落が容易にかつ短い期間で形成されることとなる。
【００１５】
また、在来多年生草本類の種子が、工事現場の厳しい環境の影響を受けやすく、法面に直接播種しても発芽しないようなものであったり、チガヤの種子など高温でなければ発芽しないものであったとしても、この発明の植生マットは、在来多年生草本類の種子の発芽に適する環境となるように構成された場所において、在来多年生草本類の種子を発芽させて予め形成しておくことができるので、この植生マットを用いて施工する場合、その施工に関する場所や時期が限定されることがない。また、この発明の植生マットは、使用する在来多年生草本類の種類をほとんど問わないので、例えば、法面の周辺に存在する在来多年生草本類の種子を用いて植生マットを形成し、この植生マットを法面に設置すれば、生態系の破壊の発生を生じさせることなく、法面の緑化および侵食防止を図ることが可能となる。
【００１６】
上記の植生マットを河川堤防等の法面に張り付けると、施工直後から法面が地被植物と在来多年生草本類とによって継続的に緑化・浸食防止されることになる。そして、在来多年生草本類の旺盛な繁殖力によって、純粋な在来多年生草本類の群落を法面に早期に造成することができ、帰化植物の繁茂が抑制され、ひいては維持管理（刈り込み、施肥等）の手間と費用が大幅に軽減される。
【００１７】
尚、請求項２に記載した発明のように、在来多年生草本類および地被植物からなるマットに可撓性ネットを内包させれば、植物の根が可撓性ネットに絡み合って、マット形状が崩れ難くなり、河川堤防の冠水域にも、容易に流失しないように強固に張り付けることができる。
【００１８】
請求項３に記載した方法によれば、請求項１に記載の発明に係る植生マットを製造でき、請求項４に記載の方法によれば、請求項２に記載の発明に係る植生マットを製造できる。
【００１９】
なお、請求項３，４に記載の発明による植生マットの製造方法では、在来多年生草本類および地被植物を圃場からマット状に剥ぎ取る際、在来多年生草本類の地下茎がある程度切断されるが、例えば、在来多年生草本類としてチガヤを用いた場合、このチガヤについて、上記文献「雑草の自然史」には「春に萌芽した新しい株を直径２０ｃｍ、深さ１９ｃｍの素焼鉢に１株ずつ移植し、栽培すると、１年間に１つの親株にはおおよそ２３個、最高４５株の子株がつくられる。根茎が何らかの原因で切断されると、子株は独立した個体となる。」という報告もあり、このようなチガヤなどの在来多年生草本類の性質上、地下茎の切断は問題にならない。
【００２０】
また、在来多年生草本類または地被植物を、圃場に敷設した可撓性ネットを内包するように育成するにあたっては、可撓性ネットの上に播種、覆土して発芽・発根させる場合と、別の圃場でマット状になるまで育成した在来多年生草本類マットまたは地被植物マットを可撓性ネットの上に敷き詰めて、在来多年生草本類の地下茎または地被植物の根が可撓性ネットに絡みつくまで育成する場合とがある。また、圃場から在来多年生草本類および地被植物を剥ぎ取った後に可撓性ネットを敷設し、地中に残っている在来多年生草本類の地下茎および／または地被植物の根から在来多年生草本類および／または地被植物を再生・生育させて可撓性ネットを在来多年生草本類および／または地被植物に内包させることも可能である。
【００２１】
地被植物の中に在来多年生草本類を移植して植生マットを形成する場合、その在来多年生草本類の苗を得るにあたっては、切断した根茎の２〜３節を植物生育基盤材が詰め込まれた鉢部の幅と深さが３〜５ｃｍ程度のセルトレイに植え込んで萌芽させ、セルトレイで草丈が５ｃｍ程度になるまで生育させてもよいが、請求項５に記載の発明のように、在来多年生草本類の種子を、植物生育基盤材が詰め込まれたセルトレイに播種して生育させることにより、地被植物の中に移植する在来多年生草本類の苗を得る方が、地下茎の採取地が侵食等によって荒廃するという問題を回避できる点で、好ましい。
【００２２】
また、請求項６に記載の発明のように、在来多年生草本類の種子を発芽させ、幼芽、幼根が５ｍｍ程度に伸長をはじめた後にセルトレイに移植して生育させるようにすれば、在来多年生草本類の種子の発芽率が低い場合にも歩留りを悪くすることなく植生マットを製造することが可能となる。
【００２３】
尚、セルトレイで草丈が５ｃｍ程度になるまで生育させた在来多年生草本類の苗を地被植物の中に移植するにあたっては、セルトレイが合成樹脂製、金属製、木製等である場合、セルトレイの各々の鉢部から在来多年生草本類の苗を抜き取って移植することになるが、水により脆弱化する材料、腐食性材料等によって作製され、且つ、鉢部ごとに分離可能に構成されたセルトレイで生育させた在来多年生草本類の苗を地被植物の中に適当間隔で鉢部ごと移植するようにしてもよい。このようにすれば、鉢部が在来多年生草本類の苗の根茎の一時的な保護膜となり、移植作業中における根茎の乾燥、根切れ等を防止できる利点がある。
【００２４】
ここで、例えば、在来多年生草本類としてチガヤを用いる場合、チガヤの発芽は、温度及び湿度の人為的な管理下で、２５〜３５°Ｃの湿潤条件下とするのが望ましい。
【発明を実施するための最良の形態】
【００２５】
以下、本発明の実施の形態を図面に基づいて説明する。図１、図２は、本発明に係る植生マットＡの一例を示す。この植生マットＡは、地被植物マットとしての芝マット１に在来多年生草本類の苗としてのチガヤ苗２が間隔（例えば２０ｃｍ〜３０ｃｍ間隔が好ましい）をおいて植え付けられて成るものであり、矩形状に形成されている。詳しくは、植生マットＡは、チガヤ苗２の根茎３を、地被植物としての芝４のマット状に絡み合った細くて密な根５と絡み合わせることにより、チガヤ苗２と芝４とを一体とし、かつマット状としたものである。植生マットＡの縦横の寸法は、人力による小運搬が可能な重量、トラック輸送に際しロール状に巻くことが可能であること等を考慮して、適当に設定される。
【００２６】
河川堤防等の法面Ｓへの植生マットＡの施工方法は、従来の植生マット張り付け工法と同じであり、表面を整地した後、図１に示す如く、根が接地するように植生マットＡを展開して、アンカー釘６等で固定する。活着を良くするために、隙間を塞ぐ目土を施し、散水することもある。
【００２７】
以上のように施工すると、施工直後から法面Ｓが芝４とチガヤ苗２とによって緑化されることになる。そして、チガヤの旺盛な繁殖力と他の植物の発芽や生育を抑制する他感作用とによって、純粋なチガヤ群落を法面Ｓに早期に造成することができ、帰化植物や雑草の繁茂が抑制されるので、維持管理の手間と費用が大幅に軽減されると共に、チガヤ群落の長い根茎による強い土壌緊縛力により、法面の侵食が確実に防止されることになる。
【００２８】
次に、植生マットＡの製造方法を図３〜図５に基づいて説明する。まず、チガヤの種子を発芽させるのであるが、この実施例では、図３に示すように、採取したチガヤの穂ａを細かく刻んで置床し、温度及び湿度を人為的に管理して、２５〜３５°Ｃの湿潤条件下で発芽させる。
【００２９】
幼芽・幼根ｂが夫々５ｍｍ程度に伸長をはじめたら、肥料、保水材等を一定割合で配合した植物生育基盤材（例えば、堆肥、ピートモス等の短繊維、バーミキュライト等を一定割合で配合した植物生育基盤材）が詰め込まれた鉢部７ａの幅と深さが３〜５ｃｍのセルトレイ７に移植して生育させる。
【００３０】
チガヤ苗２の草丈が５ｃｍ程度になったら、チガヤ苗２をセルトレイ７の鉢部７ａから抜き取り、図３に示すように、圃場で育成している芝４の中に２０ｃｍ〜３０ｃｍ間隔で穴８をあけて移植する。穴８の大きさは、セルトレイ７の鉢部７ａの大きさよりやや大きめとし、図４に示すように、チガヤ苗２の根茎３と穴８の隙間に目土９を施すことが望ましい。
【００３１】
尚、芝４の中に移植するチガヤ苗２を得るにあたっては、図３の右上部に示すように、切断した根茎３の２〜３節を植物生育基盤材が詰め込まれた鉢部７ａの幅と深さが３〜５ｃｍのセルトレイ７に植え込んで萌芽させ、セルトレイ７で草丈が５ｃｍ程度になるまで生育させてもよい。
【００３２】
育苗中の芝４の中に植え付けられたチガヤ苗２は、生育にしたがって地下茎を発達させ多くの子株をつくる。また、その地下茎は細く密な芝の根５と絡むようになる。従って、チガヤ苗２の地下茎と芝４の根５とが絡み合った後、換言すれば、２０ｃｍ〜３０ｃｍ間隔で植え付けられたチガヤ苗２の地下茎だけでは未だマットを形成できないが、細い根が密に絡み合ってマットを形成できる段階まで生育している芝４と根絡みすることにより、マットを形成できる段階まで生育したら、ソッドカッター等を用いて、図５に示すように、芝４を圃場からマット状に剥ぎ取ることにより、上述した植生マットＡが得られることになる。
【００３３】
図６は、本発明に係る植生マットＡの他の例を示す。この植生マットＡは、芝マット１の下面側に芝４の根５を絡ませる可撓性ネット１０が設けられている点に特徴がある。可撓性ネット１０は、幅１ｍ当りの引張強度を１．０〜７．０トン程度に設定したものであって、耐久性に富む繊維、例えばナイロン、ポリエステル、アラミド、カーボン、ポリアセタール等の繊維を用いて、目合い２〜１５ｍｍの格子状に成型したものであるが、上記繊維の糸を用いて同じ目合いの網状体に編組したものにしてもよく、両者を重ね合わせたものでもよい。
【００３４】
この構成によれば、芝４の根５が引張強度の高い可撓性ネット１０に絡みつくことによって、植生マットＡに可撓性ネット１０が内包されることとなるため、マット形状が崩れ難くなり、河川堤防の冠水域にも、容易に流失しないように強固に張り付けることができる。また、可撓性ネット１０の一辺を吊り下げてもマット形状が崩れないので、植生マットＡの縦横の寸法を大きくし（例えば２００ｃｍ×３００ｃｍ程度とし）、クレーン等を利用して法面に施工するように構成することもできる。
【００３５】
上記の植生マットＡは、図７に示すように、草丈が５ｃｍ程度のチガヤ苗２を圃場に敷設した可撓性ネット１０の上で可撓性ネット１０を内包するマット状となるように育成している芝４の中に２０〜３０ｃｍ間隔で移植し、図８に示すように、チガヤ苗２の地下茎と芝４の根５とが絡み合った後、芝４を圃場から可撓性ネット１０ごとマット状に剥ぎ取ることによって製造される。
【００３６】
芝４の中に移植するチガヤ苗２を得るまでの方法は、図２で示した植生マットＡの場合と同一であり、採取したチガヤの穂ａを細かく刻んで置床し、温度及び湿度を人為的に管理して、２５〜３５°Ｃの湿潤条件下で発芽させ、幼芽・幼根ｂが夫々５ｍｍ程度に伸長をはじめたら、肥料、保水材等を一定割合で配合した植物生育基盤材（例えば、堆肥、ピートモス等の短繊維、バーミキュライト等を一定割合で配合した植物生育基盤材）が詰め込まれた鉢部７ａの幅と深さが３〜５ｃｍのセルトレイ７に移植して草丈が５ｃｍ程度になるまで生育させる方法と、図３の右上部に示すように、切断した根茎ｃの２〜３節を植物生育基盤材が詰め込まれた鉢部７ａの幅と深さが３〜５ｃｍのセルトレイ７に植え込んで萌芽させ、セルトレイ７で草丈が５ｃｍ程度になるまで生育させる方法があり、何れを選択してもよいが、前者の方が、地下茎の採取地が侵食等によって荒廃するという問題を回避できる点で、好ましい。
【００３７】
尚、上述した実施の形態では、何れも、前記セルトレイ７が、耐久性に富む材料で作製され（例えば合成樹脂製、金属製、木製等）、繰り返し使用が可能に構成されているので、セルトレイ７で草丈が５ｃｍ程度になるまで生育させたチガヤ苗２を芝４の中に移植するにあたっては、セルトレイ７に形成されている各々の鉢部７ａからチガヤ苗２を抜き取って移植しているが、セルトレイ７の材質と構造によっては、セルトレイで生育させたチガヤ苗を芝の中に適当間隔で鉢部ごと移植するようにしてもよい。
【００３８】
例えば、セルトレイ７を紙等の水により脆弱化する材料や有孔の生分解性プラスチック等の腐食性材料等によって作製すると共に、図９（Ａ）に示すように、互いに独立した多数の鉢部７ａを密集状態に接着していた水溶性糊剤が育苗時の水分で接着力を失うことにより、鉢部７ａを分離できるように構成したり、図９（Ｂ）に示すように、格子状に一体成型された鉢部７ａ同士の連結部に形成された局部的脆弱部７ｂから折り取ることにより、鉢部７ａを分離できるように構成すれば、鉢部７ａが時間の経過とともに消失し、チガヤ苗２の根茎の伸長の障害にならないので、チガヤ苗２が草丈５ｃｍ程度に育成された段階で、鉢部７ａごとに分離し、図１０に示すように、チガヤ苗２を芝４の中に鉢部７ａごと移植することができる。このようにすれば、鉢部がチガヤ苗の根茎の一時的な保護膜となり、移植作業中における根茎の乾燥、根切れ等を防止できる利点がある。
【００３９】
上記２つの実施例は種々に変形することができる。例えば、チガヤの穂ａ（種子）を生育させてチガヤ苗２を得た後、芝４（芝マット１）の中に移植することにより植生マットＡを得る構成に代えて、例えば、芝マット１の表面を部分的に削り取り、その削り取った部分にチガヤの根茎を埋め込み、この根茎を生育させることにより、植生マットＡを得るようにしてもよい。
【００４０】
また、植生マットＡは、地被植物マット（芝マット）１に在来多年生草本類（チガヤ苗２）が間隔をおいて植え付けられて成るものに限られず、例えば、図１１に示すように、在来多年生草本類としてのチガヤ（チガヤ苗）２からなるマット１’に、在来多年生草本類（チガヤ苗２）の間を埋めるようにして適宜間隔をおいて地被植物（芝４）が植え付けられて成るものでもよい。このように構成した場合には、初期のチガヤが多くなり、植生マットＡを敷設した法面がチガヤ群落に推移するスピードが早くなるという効果が得られる。そして、もちろん、この場合にも、植生マットＡに可撓性ネット１０を内包させてもよいことはいうまでもない。
【００４１】
また、チガヤ以外に、ススキやヨモギなどの在来多年生草本類を用いることもできる。この場合、チガヤに比べてススキやヨモギなどは、その種子の発芽率が高いので、例えば、種子を予め発芽させ、ある程度成長させてからセルトレイ７に移植する構成に代えて、セルトレイ７に直接種子（または穂）を播種する構成を採用してもよい。
【図面の簡単な説明】
【００４２】
【図１】本発明に係る植生マットの法面への張り付け途中における縦断側面図である。
【図２】本発明に係る植生マットの斜視図である。
【図３】本発明に係る植生マットの製造方法を説明する図である。
【図４】植生マットの製造方法を説明する要部の縦断側面図である。
【図５】植生マットの製造方法を説明する要部の縦断側面図である。
【図６】本発明に係る植生マットの他の例を示す一部を取り出して拡大図示した斜視図である。
【図７】植生マットの製造方法を説明する要部の縦断側面図である。
【図８】植生マットの製造方法を説明する要部の縦断側面図である。
【図９】セルトレイの他の例を説明する図である。
【図１０】図９のセルトレイで育成したチガヤ苗の移植方法を説明する要部の縦断側面図である。
【図１１】本発明に係る植生マットの更に他の例を示す斜視図である。
【符号の説明】
【００４３】
Ａ  植生マット
１  芝マット
２  チガヤ
３  根茎
４  芝
５  根
１０  可撓性ネット
【図１】
2004159652.tif 000003
【図２】
2004159652.tif 000004
【図３】
2004159652.tif 000005
【図４】
2004159652.tif 000006
【図５】
2004159652.tif 000007
【図６】
2004159652.tif 000008
【図７】
2004159652.tif 000009
【図８】
2004159652.tif 000010
【図９】
2004159652.tif 000011
【図１０】
2004159652.tif 000012
【図１１】
2004159652.tif 000013